(57)【要約】      （修正有）【課題】任意のメッセージを書き込み・消去できるようにするとともに、メッセージを書き込むためのマーカー等のペンを保持することができるドアノブプレートを提供する。【解決手段】ドアノブプレート１は、板状の部材により構成され、表面には、水性のペンにより書込みができ、かつ払拭により消去することが可能な表面加工が施され、ペンのクリップ部を挿入することが可能な孔部３を有する。【選択図】図１
0003231795.tif 000002
【実用新案登録請求の範囲】
【請求項１】
ドアノブに吊り下げられるドアノブプレートであって、
表面には、水性のペンにより書込みができ、かつ払拭により消去することが可能な表面加工が施され、
前記ペンのクリップ部を挿入することが可能な孔部を有する、ドアノブプレート。
【請求項２】
請求項１に記載のドアノブプレートにおいて、
前記孔部は下部に凹状部を有する、ドアノブプレート。
【請求項３】
請求項１に記載のドアノブプレートにおいて、
表面には、前記ペンによりメッセージを書き込む領域であることを示す欄が消去不能な手段で印刷されている、ドアノブプレート。
【考案の詳細な説明】
【技術分野】
【０００１】
本考案は、ドアの外側のノブに吊り下げておくことでドアの外側の者にメッセージを伝達するドアノブプレートに関するものである。
【背景技術】
【０００２】
例えば、ホテルの宿泊客が、客室ドアの外側のドアノブに「Do not Disturb」などのメッセージが書かれたプレート（以下「ドアノブプレート」という）を吊り下げておくことで、ホテルのスタッフに「起こさないでください」等のメッセージを伝達することはよく知られている。
【０００３】
一方、例えば、実用新案登録第３１６３６６９号公報（特許文献１）や、実用新案登録第３１１２９１７号公報（特許文献２）には、このようなドアノブプレートを広告宣伝の手段として用いることが記載されている。また、特許文献２には、裏面のメモ欄等にＰＰ（ポリプロピレン）加工を施すことによりホワイトボード用の水性消去可能なマーカーを使用して再利用可能なコミニュケーションボードとして利用することについても記載されている。
【先行技術文献】
【特許文献】
【０００４】
【特許文献１】実用新案登録第３１６３６６９号公報
【特許文献２】実用新案登録第３１１２９１７号公報
【考案の概要】
【考案が解決しようとする課題】
【０００５】
従来技術によれば、ドアの外側においてドアノブプレートを見た者に対して、当該ドアノブプレートに表示された各種のメッセージを伝達することができる。また、特許文献２に記載された技術によれば、予め印刷された固定のメッセージに限らず、マーカーを使用して任意のメッセージを記載することも可能である。
【０００６】
しかしながら、特許文献２に記載された技術では、メッセージを書き込むためのマーカーを別な場所に置いておかなければならず、メッセージを書きたいときにマーカーが見当たらないためにすぐ書けないという場合も生じ得る。
【０００７】
そこで本考案の目的は、任意のメッセージを書き込み・消去できるようにするとともに、メッセージを書き込むためのマーカー等のペンを保持することができるドアノブプレートを提供することにある。
【０００８】
本考案の前記ならびにその他の目的と新規な特徴は、本明細書の記載および添付図面から明らかになるであろう。
【課題を解決するための手段】
【０００９】
本願において開示される考案のうち、代表的なものの概要を簡単に説明すれば、以下のとおりである。
【００１０】
本考案の代表的な実施の形態であるドアノブプレートは、表面には、水性のペンにより書込みができ、かつ払拭により消去することが可能な表面加工が施され、前記ペンのクリップ部を挿入することが可能な孔部を有する。
【考案の効果】
【００１１】
本願において開示される考案のうち、代表的なものによって得られる効果を簡単に説明すれば、以下のとおりである。
【００１２】
すなわち、本考案の代表的な実施の形態によれば、ドアノブプレートに任意のメッセージを書き込み・消去できるとともに、メッセージを書き込むためのマーカー等のペンを保持することが可能となる。
【図面の簡単な説明】
【００１３】
【図１】本考案の一実施の形態であるドアノブプレートの構成例について概要を示した図である。
【図２】（ａ）、（ｂ）は、本考案の一実施の形態におけるペンを保持した状態の例について概要を示した図である。
【図３】（ａ）、（ｂ）は、本考案の一実施の形態におけるメッセージ書込み欄の例について概要を示した図である。
【考案を実施するための形態】
【００１４】
以下、本考案の実施の形態を図面に基づいて詳細に説明する。なお、実施の形態を説明するための全図において、同一部には原則として同一の符号を付し、その繰り返しの説明は省略する。一方で、ある図において符号を付して説明した部位について、他の図の説明の際に再度の図示はしないが同一の符号を付して言及する場合がある。
【００１５】
図１は、本考案の一実施の形態であるドアノブプレートの構成例について概要を示した図である。ドアノブに引っ掛けて吊り下げるという使用法から、ドアノブプレート１は、例えば、幅１０センチーメートル程度、高さ２０センチメートル程度、厚さ１ミリメートル程度の板状の部材により構成されるのが好適だが、特に大きさについて限定されるものではない。材質についても特に限定されず、一定程度の剛性を確保することができ、後述するようにホワイトボードの機能を実現するためのＰＰ加工等の表面加工が可能な素材であれば、紙、木材、樹脂、金属など適宜のものを用いることができる。本実施の形態では、軽量で強度を確保することができ、かつ比較的安価に構成することができるプラスチック樹脂を用いるものとする。
【００１６】
図１は、ドアノブプレート１を正面（もしくは裏面）から見た形状の例を示しており、例えば、上部にはドアノブに引っ掛けるためにくり抜かれた孔部２を有する。一般的なドアノブに対して引っ掛けたり取り外したりという操作が容易にできるよう、孔部２の大きさを例えば直径６センチメートル程度の略円状とするとともに、側面にかけて切り欠き部２ａを有するのが望ましい。また、ドアノブに引っ掛けたときにドアノブプレート１が安定するよう、孔部２の上部に凹状部２ｂを有していてもよい。
【００１７】
また、孔部２の下方には、マーカー等のペンを保持するためにくり抜かれた孔部３を有する。後述するように、保持することができるペンは、胸ポケットなどに差すためのクリップ部を有するものとし、このクリップ部を孔部３に挿入することでペンを保持する。クリップ部を挿入したり取り外したりという操作が容易にできるよう、孔部３の大きさを例えば直径１センチメートル程度の略円状とする。保持するペンが安定するよう、孔部３の下部に凹状部３ａを有していてもよい。
【００１８】
図２は、本考案の一実施の形態におけるペンを保持した状態の例について概要を示した図である。図２（ａ）ではドアノブプレート１の正面側から見た状態、図２（ｂ）では側面側から見た状態を示しており、ドアノブプレート１の孔部３にペン４のクリップ部４ａを挿入してペン４を保持した状態の例を示している。
【００１９】
なお、図１や図２に示したドアノブプレート１の形状はあくまで一例であり、孔部３を有する形状であれば適宜の形状とすることができる。また、孔部３の位置も特に限定されないが、図２の例に示したようにペン４を保持した状態において、ドアノブに吊り下げたドアノブプレート１の姿勢の安定や、ドアノブプレート１に表示されたメッセージ等の視認性の観点から、図１に示したようにドアノブプレート１の左右の外縁付近に設けたり、トアノブプレート１の下端付近に設けたりするのが好適である。
【００２０】
また、ペン４については、クリップ部４ａを備えるものであれば孔部３に挿入して保持することができるが、本実施の形態のドアノブプレート１は、後述するようにホワイトボードの機能を有することから、ペン４としては、水性のマーカー等、ホワイトボードに書込み・消去することができる水性ペンが好適である。さらに、ドアノブプレート１に書き込んだメッセージを消去する際の便宜のため、例えば、キャップ部の先端などに消去用の部材（スポンジや布等）を備えるペンとするのがより好適である。
【００２１】
図３は、本考案の一実施の形態におけるメッセージ書込み欄の例について概要を示した図である。図３の例に示すように、ドアノブプレート１の表面にメッセージ書込み欄５を予め消去不能な手段で印刷しておくようにしてもよい。上述したようにドアノブプレート１の表面にＰＰ加工等、水性ペンで書込みができるとともにこれを払拭して消去することができるような表面加工を施しておくことで、ドアノブプレート１にホワイトボードの機能を持たせ、メッセージ書込み欄５にペン４を用いて任意のメッセージを書き込めるようにするとともに、これを自由に消去することが可能となる。メッセージを書き込める領域はメッセージ書込み欄５の欄内に限定されないことは言うまでもない。
【００２２】
また、図３（ａ）、（ｂ）に示すように、ドアノブプレート１の正面、裏面のいずれに（もしくは双方に）メッセージ書込み欄５を設けてもよい。また、ドアノブプレート１に予め印刷する内容は、図３の例に示したメッセージ書込み欄５のようにメッセージの書込み領域を指示するような態様のものに限定されず、任意のデザインを印刷することができる。
【００２３】
以上に説明したように、本考案の一実施の形態であるドアノブプレート１によれば、ドアノブプレート１に任意のメッセージを書き込み・消去できるとともに、メッセージを書き込むためのマーカー等のペン４を保持することが可能である。
【００２４】
以上、本考案者によってなされた考案を実施の形態に基づき具体的に説明したが、本考案は上記の実施の形態に限定されるものではなく、その要旨を逸脱しない範囲で種々変更可能であることはいうまでもない。また、上記の実施の形態は本考案を分かりやすく説明するために詳細に説明したものであり、必ずしも説明した全ての構成を備えるものに限定されるものではない。また、上記の実施の形態の構成の一部について、他の構成の追加・削除・置換をすることが可能である。
【産業上の利用可能性】
【００２５】
本考案は、任意のメッセージを書き込み・消去できるようにするとともに、メッセージを書き込むためのマーカー等のペンを保持することができるドアノブプレートに利用可能である。
【符号の説明】
【００２６】
１…ドアノブプレート、
２…孔部、２ａ…切り欠き部、２ｂ…凹状部、
３…孔部、３ａ…凹状部、
４…ペン、４ａ…クリップ部、
５…メッセージ書込み欄
【図１】
0003231795.tif 000003
【図２】
0003231795.tif 000004
【図３】
0003231795.tif 000005